(57)【要約】      （修正有）【課題】専門知識を要さず、故障に容易に対処し得ると共に、重量のある遊技盤でも取付可能なるパチンコ遊技機を提供する。【解決手段】遊技盤取付領域３１に透窓３２，３３，３４を有する下部領域３５を形成し、前板体５２と後板体５３とからなる組付ユニット５０を形成し、前板体５２の上縁には遊技盤５から排出された遊技球を受け流す遊技球排出樋７１を設け、前板体５２の前面に打球発射用電動アクチュエータおよびスピーカーボックス６２を並設し、後板体５３の裏面には各種電気回路基板が収納された基板ケース７６，７９を装着する。組付ユニット５０を下部領域３５に装着することにより、透窓３２，３３，３４に配置された、打球発射用電動アクチュエータの打槌５８が打球供給装置２６の打球供給口２７に臨み、スピーカーボックス６２の前面が拡声孔１５に臨むようにした。【選択図】図７
2006280584.tif 000002
【特許請求の範囲】
【請求項１】
外枠の一側に遊技盤取付枠および前面枠を夫々前方に開閉可能にヒンジしてなるパチンコ遊技機において、遊技盤取付枠における遊技盤取付領域の下部に前後方向に貫通する透窓が開設された下部領域を形成し、該下部領域に後側から着脱自在に装着可能であって前板体と後板体とからなる組付ユニットを形成し、該前板体の前面に打球発射用電動アクチュエータを設け、後板体には遊技制御回路基板等の各種電気回路基板が収納された基板ケースを装着し、該組付ユニットを前記遊技盤取付枠の下部領域に装着することにより打球発射用電動アクチュエータが前記透窓内に配置され、該打球発射用電動アクチュエータの打槌が前面枠に設けられた打球供給装置に臨むようにしたことを特徴とするパチンコ遊技機の組付構造。
【請求項２】
外枠の一側に遊技盤取付枠および前面枠を夫々前方に開閉可能にヒンジしてなるパチンコ遊技機において、遊技盤取付枠における遊技盤取付領域の下部に前後方向に貫通する複数の透窓が開設された下部領域を形成し、該下部領域に後側から着脱自在に装着可能であって前板体と後板体とからなる組付ユニットを形成し、該前板体の前面に打球発射用電動アクチュエータおよびスピーカーボックスを並設し、後板体の裏面には遊技制御回路基板等の各種電気回路基板が収納された基板ケースを装着し、該組付ユニットを前記遊技盤取付枠の下部領域に装着することにより打球発射用電動アクチュエータおよびスピーカーボックスが前記透窓内に配置され、該打球発射用電動アクチュエータの打槌が前面枠に設けられた打球供給装置に臨み、スピーカーボックスの前面が該前面枠に開設された拡声孔に臨むようにしたことを特徴とするパチンコ遊技機の組付構造。
【請求項３】
前板体の上縁に遊技盤から排出されたアウト球等の遊技球を受け流す遊技球排出樋を設けた請求項１または２に記載のパチンコ遊技機の組付構造。
【請求項４】
遊技盤の裏面に盤面コネクタを設けると共に、組付ユニットに遊技盤接続用コネクタを設け、組付ユニットを遊技盤取付枠に装着することにより該遊技盤接続用コネクタが盤面コネクタに合着するようにした請求項１〜３のいずれかに記載のパチンコ遊技機の組付構造。
【請求項５】
組付ユニットにおける前板体と後板体との間隙に、信号中継基板から導出され打球発射用電動アクチュエータ，スピーカーボックス、および各種電気回路基板と連なる配線を配置した請求項１〜４のいずれかに記載のパチンコ遊技機の組付構造。
【請求項６】
遊技盤取付枠における遊技盤取付領域と下部領域との境に金属製の剛性補強梁を水平に設け、遊技盤取付領域に装着された遊技盤の荷重が該剛性補強梁に負荷されるようにした請求項１〜５のいずれかに記載のパチンコ遊技機の組付構造。
【発明の詳細な説明】
【技術分野】
【０００１】
本発明は、外枠に遊技盤取付枠と前面枠とを夫々前方に開閉可能にヒンジしてなるパチンコ遊技機の組付構造に関するものである。
【背景技術】
【０００２】
一般にパチンコ遊技機は、例えば下記特許文献１に示されているように、外枠の一側に遊技盤取付枠および前面枠が夫々開閉可能にヒンジされ、該前面枠に透明ガラス板または樹脂板が装着され、該前面枠の下部に前面下部板が設けられ、該前面下部板に打球供給皿、打球供給装置、打球発射用ハンドル、スピーカ等が装着されている。また、遊技盤取付枠には遊技盤が着脱自在に装着されるほか、該遊技盤取付枠の下部前面に打球発射装置が設けられ、遊技盤取付枠の裏面に景品球タンク，球払出装置、および遊技制御回路基板，遊技球制御基板，音声制御基板等の各種電気回路基板が収納された基板ケースを装着することにより構成される。また、遊技盤の裏面には液晶表示装置を制御する画像処理基板が収納された基板ケースが装着される。
【特許文献１】特開２００１−１６１９１４号公報
【発明の開示】
【発明が解決しようとする課題】
【０００３】
ところで、遊技制御回路基板等の各種電気回路基板と打球発射装置およびスピーカ、或いはこれらの信号中継基板とは、多数本の配線によって繋がっているので、故障時のときの対処を考慮すると、これらのものは遊技機本体から一体的に取付け、取外しできるようにすることが望ましい。ところが従来のパチンコ遊技機では、打球発射装置およびスピーカは遊技盤取付枠の前面に個々にビス止めされ、遊技球制御基板や音声制御基板は遊技盤取付枠の裏面或いは遊技盤の裏面にビス止めされた基板ボックス中に収納されていた。このため故障発生時には、これらの基板と打球発射装置，スピーカ等とを繋ぐ配線およびそのコネクタを抜いたうえで、これらの部品を前面枠や遊技盤取付枠から取外さなければならなかったので、故障個所やその原因を特定し難いと共に、多くの部品が折り重なるようにビス止めされているので取付け、取外しに当たり専門知識を要し、特定の技術者に依らなければ現場での対処が容易にできないという問題があった。
また、遊技盤取付枠は、製造コストおよび軽量化のためにプラスチック製とすることが望ましいものの、近時の遊技盤には大型ディスプレイ、或いは大型役物が設けられると共にこれらを制御する画像制御基板等についても複雑化し大型となっているので、重量が重くなり、これを支える遊技盤取付枠の強度が問題となるものであった。
本発明は、このような問題点を解決し、専門知識を要さず、故障に容易に対処し得ると共に、重量のある遊技盤でも取付可能なるパチンコ遊技機を提供しようとするものである。
【課題を解決するための手段】
【０００４】
そのために請求項１に記載のパチンコ遊技機は、外枠の一側に遊技盤取付枠および前面枠を夫々前方に開閉可能にヒンジしてなるパチンコ遊技機において、遊技盤取付枠における遊技盤取付領域の下部に前後方向に貫通する透窓が開設された下部領域を形成し、該下部領域に後側から着脱自在に装着可能であって前板体と後板体とからなる組付ユニットを形成し、該前板体の前面に打球発射用電動アクチュエータを設け、後板体には遊技制御回路基板等の各種電気回路基板が収納された基板ケースを装着し、該組付ユニットを前記遊技盤取付枠の下部領域に装着することにより打球発射用電動アクチュエータが前記透窓内に配置され、該打球発射用電動アクチュエータの打槌が前面枠に設けられた打球供給装置に臨むようにしたことを特徴とする。
また、請求項２に記載のパチンコ遊技機は、外枠の一側に遊技盤取付枠および前面枠を夫々前方に開閉可能にヒンジしてなるパチンコ遊技機において、遊技盤取付枠における遊技盤取付領域の下部に前後方向に貫通する複数の透窓が開設された下部領域を形成し、該下部領域に後側から着脱自在に装着可能であって前板体と後板体とからなる組付ユニットを形成し、該前板体の前面に打球発射用電動アクチュエータおよびスピーカーボックスを並設し、後板体の裏面には遊技制御回路基板等の各種電気回路基板が収納された基板ケースを装着し、該組付ユニットを前記遊技盤取付枠の下部領域に装着することにより打球発射用電動アクチュエータおよびスピーカーボックスが前記透窓内に配置され、該打球発射用電動アクチュエータの打槌が前面枠に設けられた打球供給装置に臨み、スピーカーボックスの前面が該前面枠に開設された拡声孔に臨むようにしたことを特徴とする。
また、請求項３に記載の発明は上記パチンコ遊技機において、前板体の上縁に遊技盤から排出されたアウト球等の遊技球を受け流す遊技球排出樋を設けたことを特徴とする。
また、請求項４に記載の発明は上記パチンコ遊技機において、遊技盤の裏面に盤面コネクタを設けると共に、組付ユニットに遊技盤接続用コネクタを設け、組付ユニットを遊技盤取付枠に装着することにより該遊技盤接続用コネクタが盤面コネクタに合着するようにしたことを特徴とする。
また、請求項５に記載の発明は上記パチンコ遊技機において、組付ユニットにおける前板体と後板体との間隙に、信号中継基板から導出され打球発射用電動アクチュエータ，スピーカーボックス、および各種電気回路基板と連なる配線を配置したことを特徴とする。
また、請求項６に記載の発明は上記パチンコ遊技機において、遊技盤取付枠における遊技盤取付領域と下部領域との境に金属製の剛性補強梁を水平に設け、遊技盤取付領域に装着された遊技盤の荷重が該剛性補強梁に負荷されるようにしたことを特徴とする。
【発明の効果】
【０００５】
請求項１〜４に記載したパチンコ遊技機では、遊技盤取付枠から組付ユニットを取付け、取外しすることにより、打球発射用電動アクチュエータとスピーカーボックスとこれらの電気回路基板が一体的に取付け、取外しできるので、その故障時等の対処が容易となる。
また請求項５に記載の発明では、多数本の配線を組付ユニットの表面に露出しないようにできる。
また請求項６に記載の発明では、重い遊技盤の荷重が遊技盤取付枠の下部領域に開設された透窓を変形させるおそれがない。このため、組付ユニットの取付け、取外しをスムースにする。
【発明を実施するための最良の形態】
【０００６】
次に本発明を実施するための最良の形態を図面に従い説明する。図１は本発明に係るパチンコ遊技機の正面図、図２は裏面図、図３は裏面の斜視図、図４は図２のＡ−Ａ線断面図、図５は図２のＢ−Ｂ線断面図である。図中、１は外枠、２は該外枠の一側に突設された軸受片３により開閉可能にヒンジされた遊技盤取付枠、４は該遊技盤取付枠とともに該遊技盤取付枠の前面に重なるように開閉可能にヒンジされたプラスチック製の前面枠である。前面枠４には遊技盤５を前方から透視し得る透明な樹脂板６が設けられ、その周囲に装飾ランプが内蔵された装飾体７が形成されていると共に、下部に打球供給皿８、打球発射用ハンドル９が設けられている。１０は打球供給皿８と連通するように該打球供給皿の上部に形成された貸球受皿で、該貸球受皿の上にこのパチンコ遊技機に隣接するように設けられる球貸機（図示せず）から延びた貸球供給パイプ（図示せず）が臨ませられる。また、１１は球抜きスイッチ１２、貸球要求スイッチ１３、チャンススイッチ１４等の遊技者が任意に操作し得る各種ボタンを並設した操作パネルである。また、１５は該操作パネルの一部に該前面枠４を貫通するように開設された拡声孔である。なお、遊技盤５の前面には多数の釘、球誘導レール１６、各種入賞口１７〜１９、アウト球口２０等が設けられているほか、中央に液晶表示装置２１が設けられる。また、２２は該遊技盤５の裏面に設けられた入賞球集合箱、２３は液晶表示装置２１の裏側に設けられた画像制御基板を包囲している基板ケースである。２５ａ〜２５ｃは該遊技盤５の裏面の下部一側縁寄りに設けられた盤面コネクタで、該各盤面コネクタから打球発射用ハンドル９，操作パネル１１，入賞口１７〜１９，画像制御基板等に信号線，電源線等が配線されている。また、２４は前面枠４の前面一側寄りに設けられた鍵穴で、該鍵穴に差し込まれる特定のキーにより該前面枠４が開閉操作される。また、２６は前面枠４の下辺寄り中央部に設けられた打球供給装置で、該打球供給装置は前記打球供給皿８の下流と連通しており、内蔵された打球供給用電磁アクチュエータ（ソレノイド）を作動させることにより該打球供給皿にある遊技球を該打球供給装置２６に設けられ該前面枠４の裏側に開口している打球供給口２７から１個ずつ流出させる。２８，２９は、打球発射用ハンドル９，操作パネル１１，打球供給装置２６、および装飾ランプ等の前面枠４に設けられた各種の電気部品に繋がる配線およびそのコネクタである。
【０００７】
一方、遊技盤取付枠２はプラスチック製であって、図９に示したように遊技盤取付領域３１の下部に前後方向に貫通する透窓３２，３３，３４が開設された下部領域３５が形成され、該遊技盤取付領域と下部領域との境に形成された水平な溝に金属製の剛性補強梁３６をビス３７によって固着してなる。また、該遊技盤取付枠２の上部裏面に景品球タンク３８が装着される。３９は該景品球タンクと隣接するように設けられた配電盤、４０は該景品球タンクの底部より導出された景品球誘導樋、４１は該景品球誘導樋と連なるように遊技盤取付領域３１の一側に設けられた球払出装置、４２，４３は該球払出装置の下部に二股状に設けられた球流出樋で、その一方の球流出樋４２の下流は前記打球供給皿８と連通し、他方の球流出樋４３の下流は後述する接続用開口７２と連通する。また、４４は前記鍵穴２４に差し込まれる特定のキーにより前面枠４が開閉操作されるに伴って可動し、該遊技盤取付枠２を外枠１に係合させるロック機構である。４５は配電盤３９から導出され該ロック機構の内側に沿って配線された電源線の電源コネクタである。また、４６は球払出装置４１から導出された配線およびそのコネクタである。なお、４７は下部領域３５の両側縁に形成されたビス孔、４８は位置決ピンである。
【０００８】
また、組付ユニット５０は、取り外した状態を図６〜図８に示したように、下部領域３５に後側から挿入され、ビス５１をビス孔４７に螺締することにより遊技盤取付枠２に着脱自在に組み付けられるもので、さらに図１０に前方から見た斜視図を示し、図１１に分解斜視図を示したように、該組付ユニット５０は伴にプラスチック製で額縁状に形成された前板体５２と後板体５３とからなり、両板体をビス５４により螺締することにより組み立てられる。５５は前板体５２の中央部前面に取付板５６を介して取り付けられた打球発射用電動アクチュエータ（ロータリーソレノイド）で、該アクチュエータの回転軸５７を前方に突出させ該回転軸に打槌５８を装着している。５９は該取付板５６の前面に固設された発射レール、６０，６１は打槌５８の回転範囲を制限するストッパである。また、６２は該打球発射用電動アクチュエータ５５と隣接するように前板体５２の前面にビス６３により固着されたスピーカーボックスで、該スピーカーボックスの裏面には音声制御基板６４が装着されている。なお、６４ａ〜６４ｃは音声制御基板６４の上縁部に設けられたコネクタとその配線である。また、６５は該前板体５２の裏面にビス６７により固着された信号中継基板で、該信号中継基板に固着された中継コネクタ６６ａ〜６６ｃが打球発射用電動アクチュエータ５５と隣接する位置で該前板体５２の前面に露出して配置される。なお、該信号中継基板６５と打球発射用電動アクチュエータ５５および音声制御基板６４とは夫々コネクタを介し配線されている。
【０００９】
また、６８，６９は該前板体５２の上縁後部を補強するためにビス７０によって固着された金属製の剛性補強梁である。また、７１は遊技盤５のアウト球口２０から排出されたアウト球等の遊技球を受けるとともに、前記球流出樋４３から排出された遊技球を接続用開口７２に受けるため該前板体５２の上縁に設けられた遊技球排出樋、７３は該遊技球排出樋の下流に形成された筒状の遊技球排出部である。なお、７４ａ〜７４ｃは信号中継基板６５から導出され、音声制御基板６４および後述する電源回路基板７５，遊技球制御基板７７，遊技制御回路基板７８と接続される配線およびそのコネクタである。
【００１０】
また、後板体５３は、裏面に電源回路基板７５が固着され該電源回路基板を基板ケース７６によって囲っていると共に、該電源回路基板７５と並んで遊技球制御基板７７が固着され、該遊技球制御基板７７の上に重なるように遊技制御回路基板７８が設けられ、該遊技制御回路基板７８を基板ケース７９によって囲っている。８０は該基板ケース７９とは独立して開閉可能に設けられたサブケースで、該サブケース内には外部通信用コネクタ８１，８２が収納されている。また、８３は該後板体５３の一端部上縁に突設されたブラケット、８４は該ブラケットの後面にビス８５によって開閉可能となるように固着された後面カバーで、該ブラケットの前面に複数の遊技盤接続用コネクタ８６ａ〜８６ｃ（これらコネクタは上下左右に僅かながら移動可能に設けられたフローティングコネクタと称されるものである。）が設けられ、該各コネクタに遊技球制御基板７７，遊技制御回路基板７８、および音声制御基板６４に延びる配線およびそのコネクタ８７ａ〜８７ｃが夫々結線されている。なお、前記電源コネクタ４５は該後面カバー８４内にて電源回路基板７５に接続可能となる。
【００１１】
そして前板体５２と後板体５３との間隙に、上記コネクタ８７ａ〜８７ｃおよびコネクタ７４ａ〜７４ｃの配線を通し、ビス５４を螺締することにより、これらの電気回路基板どうしが互いに結線された状態で組付ユニット５０が組み立てられる。これによって多数本の配線を組付ユニットの表面に露出しないようにでき、該組付ユニット５０を独立して取り扱っても断線等のおそれをなくすることができるとともに、該組付ユニットの小型化を可能にする。また、結線状態にあることから該組付ユニット５０自体の故障の有無も容易に検知できるようになる。
【００１２】
この組付ユニット５０を遊技盤取付枠２に装着するに際しては、前記コネクタ２８，２９を透窓３４から導出し、該コネクタ２８，２９および前記コネクタ４６を中継コネクタ６６ａ〜６６ｃに夫々接続し、遊技盤５の裏面に予め設けられた盤面コネクタ２５ａ〜２５ｃに対し遊技盤接続用コネクタ８６ａ〜８６ｃを夫々嵌合すると共に、打球発射用電動アクチュエータ５５を透窓３３内に配置することで打槌５８を打球供給装置２６の打球供給口２７に臨ませ、スピーカーボックス６２を透窓３２内に配置することで該スピーカーボックスの前面を前面枠に開設された拡声孔１５に臨ませ、その状態でビス孔４７にビス５１を螺締する。なお、遊技盤接続用コネクタ８６ａ〜８６ｃは所謂フローティングコネクタであることから盤面コネクタに対し合着が容易となる。また、この装着のとき前板体５２の両側縁に開設された位置決孔に前記位置決ピン４８を遊嵌することにより位置決めが容易なるようにしている。そして前記電源コネクタ４５を電源回路基板７５に接続する。これにより、打球発射用ハンドル９，打球供給装置２６および打球発射用電動アクチュエータ５５が遊技球制御基板７７により制御され、遊技者が打球発射用ハンドル９を操作することにより、打球供給口２７より発射レール上に遊技球が１個ずつ供給され、打槌５８が打球発射用電動アクチュエータ５５の作動により反復回転することより該遊技球が遊技盤５上に弾発され、遊技可能な状態となる。そして遊技盤５に設けられた液晶表示装置２１には、遊技制御回路基板７８からの信号により画像制御基板が制御されることで種々の画像や大当たり等の表示がされ、遊技球が入賞口１７〜１９に入賞するとその信号が遊技球制御基板７７に伝達され球払出装置４１を作動させることにより所定数の賞球が打球供給皿８に払い出される。
【００１３】
しかして、このパチンコ遊技機では、何らかの故障が生じた場合に、後面カバー８４を取って電源コネクタ４５を電源回路基板７５から外すと共に、数個のビス５１を外して遊技盤接続用コネクタ８６ａ〜８６ｃが遊技盤から離間させ、組付ユニット５０を後方に引っ張り出し、続いてコネクタ２８，２９およびコネクタ４６を中継コネクタ６６ａ〜６６ｃから外すことにより、図７に示したように該組付ユニット５０を一塊として遊技機本体から離脱することができる。このため組付ユニット５０を交換するだけで、主たる故障に対して容易に対処することができる。また、打球発射用電動アクチュエータ５５，スピーカーボックス６２および各種電気回路基板が組付ユニット５０に組み付けられていることから、該組付ユニット５０を遊技盤取付枠２に装着するだけで、従来のようにこれらのコネクタの着脱を要することなくこれらを一体のものとして遊技機本体に着脱し得る。
【００１４】
また、遊技盤５の裏面に盤面コネクタ２５ａ〜２５ｃを設けると共に、組付ユニット５０に遊技盤接続用コネクタ８６ａ〜８６ｃを設け、該組付ユニットを遊技盤取付枠２に装着するだけで該遊技盤接続用コネクタが盤面コネクタに合着し、遊技盤５に設けられた液晶表示装置，装飾ランプ等の各種電気部品に導通するようにしたことから、遊技盤に対する配線の脱着も容易となる。
【００１５】
またこのパチンコ遊技機では、剛性補強梁３６を設けたことで遊技盤５の荷重が該剛性補強梁にも負荷されるようにしたので、構造が堅固となり、下部領域３５に挿入された組付ユニット５０を重い遊技盤５により変形させるようなことがない。そして組付ユニット５０の着脱が変形によって不能になるようなおそれがない。
【００１６】
このため本発明のパチンコ遊技機は、遊技店にすでに据え付けられたパチンコ遊技機であっても専門知識を要さず組付ユニットを着脱するだけで故障に容易に対処し得るようになる。また、これによって故障個所の発見も容易となる。さらには、近時における遊技盤の大型化、大重量に対しても遊技盤取付枠を変形させるおそれなく取付可能にするなど顕著な効果がある。
【図面の簡単な説明】
【００１７】
【図１】本発明に係るパチンコ遊技機の正面図。
【図２】本発明に係るパチンコ遊技機の裏面図。
【図３】本発明に係るパチンコ遊技機の裏面の斜視図。
【図４】図２のＡ−Ａ線断面図。
【図５】図２のＢ−Ｂ線断面図。
【図６】本発明に係るパチンコ遊技機の遊技盤および組付ユニットを取り外した状態の裏面図。
【図７】本発明に係るパチンコ遊技機の組付ユニットを取り外した状態の裏面の斜視図。
【図８】本発明に係るパチンコ遊技機の組付ユニットを取り外した状態の要部の縦断面図。
【図９】本発明に係るパチンコ遊技機の遊技盤取付枠の斜視図。
【図１０】本発明に係るパチンコ遊技機の組付ユニットを前方から見た斜視図。
【図１１】本発明に係るパチンコ遊技機の組付ユニットの分解斜視図。
【符号の説明】
【００１８】
１                  外枠
２                  遊技盤取付枠
４                  前面枠
５                  遊技盤
８                  打球供給皿
９                  打球発射用ハンドル
１１                操作パネル
１５                拡声孔
２１                液晶表示装置
２５ａ〜２５ｃ      盤面コネクタ
２６                打球供給装置
２７                打球供給口
２８，２９          コネクタ
３１                遊技盤取付領域
３２，３３，３４    透窓
３５                下部領域
３６                剛性補強梁
３７                ビス
３８                景品球タンク
４１                球払出装置
４２，４３          球流出樋
４５                電源コネクタ
４６                コネクタ
５０                組付ユニット
５１                ビス
５２                前板体
５３                後板体
５５                打球発射用電動アクチュエータ
５８                打槌
５９                発射レール
６２                スピーカーボックス
６４                音声制御基板
６４ａ〜６４ｃ      コネクタ
６５                信号中継基板
６６ａ〜６６ｃ      中継コネクタ
７１                遊技球排出樋
７３                遊技球排出部
７４ａ〜７４ｃ      コネクタ
７５                電源回路基板
７６                基板ケース
７７                遊技球制御基板
７８                遊技制御回路基板
７９                基板ケース
８３                ブラケット
８４                後面カバー
８６ａ〜８６ｃ      遊技盤接続用コネクタ
【図１】
2006280584.tif 000003
【図２】
2006280584.tif 000004
【図３】
2006280584.tif 000005
【図４】
2006280584.tif 000006
【図５】
2006280584.tif 000007
【図６】
2006280584.tif 000008
【図７】
2006280584.tif 000009
【図８】
2006280584.tif 000010
【図９】
2006280584.tif 000011
【図１０】
2006280584.tif 000012
【図１１】
2006280584.tif 000013